(57)【要約】【課題】舗装工事などにおいて、路面に露出した構造物の表面を簡易に防護する。【解決手段】路面用防護シート１は、マンホール蓋の凹凸に追従できる程度の可撓性を有し、かつ、アスファルト舗装工事に耐えうる程度の耐熱性又は耐火性を有するシート部と、前記シート部の一方の面に設けられ、マンホール蓋の表面に粘着するよう形成された粘着層とを有する。路面用防護シート１は、マンホール蓋の形状に合わせて切り出されて、マンホール蓋に貼り付けられる。【選択図】図１
2012031668.tif 000002
【特許請求の範囲】
【請求項１】
可撓性を有するシート部と、
前記シート部の一方の面に設けられ、路面の構造物表面に粘着するよう形成された粘着層と
を有する路面用防護シート。
【請求項２】
前記シート部は、舗装工事で発生する熱に対して耐熱性を有してなり、
前記粘着層は、舗装工事によって剥離しない程度の粘着力を有してなる
請求項１に記載の路面用防護シート。
【請求項３】
前記粘着層に貼り付けられた剥離シート
をさらに有し、
前記シート部又は前記剥離シートの表面には、マンホール蓋の外縁形状が印刷されてなる
請求項２に記載の路面用防護シート。
【請求項４】
路面上の構造物の上面に応じて、粘着面が設けられた路面用防護シートをカットするステップと、
カットされた路面用防護シートを、前記構造物の上面に貼り付けるステップと、
路面用防護シートが貼り付けられた構造物の近傍で、舗装作業を行うステップと、
前記舗装作業の完了後に、前記構造物から前記路面用防護シートを剥がすステップと
を有する舗装方法。
【発明の詳細な説明】
【技術分野】
【０００１】
本発明は、路面用防護シートを使用した舗装方法に関するものである。
【背景技術】
【０００２】
例えば、特許文献１には、ゴム製の本体の外周に設けられた鍔に切欠部を有するゴム製の防護カバーが開示されている。
【０００３】
しかし、マンホール鉄蓋の大きさや形状は様々であり、上記防護カバーをマンホール鉄蓋に被せることができない場合もある。
また、アスファルトの再舗装工事の場合、マンホール周辺から完全に既設アスファルトを剥がした後で、上記防護カバーを被せる必要があり、作業が煩雑になる。
【先行技術文献】
【特許文献】
【０００４】
【特許文献１】特開２００４−２５７００９号公報
【発明の概要】
【発明が解決しようとする課題】
【０００５】
舗装工事などにおいて、より簡易な方法で、路面上の構造物を防護する。
【課題を解決するための手段】
【０００６】
本発明の路面用防護シートは、可撓性を有するシート部と、前記シート部の一方の面に設けられ、路面の構造物表面に粘着するよう形成された粘着層とを有する。
【０００７】
好適には、前記シート部は、舗装工事で発生する熱に対して耐熱性を有してなり、前記粘着層は、舗装工事によって剥離しない程度の粘着力を有してなる。
【０００８】
好適には、前記粘着層に貼り付けられた剥離シートをさらに有し、前記シート部又は前記剥離シートの表面には、マンホール蓋の外縁形状が印刷されてなる。
【０００９】
また、本発明に係る舗装方法は、路面に露出した構造物の上面形状に応じて、粘着面が設けられた路面用防護シートをカットするステップと、カットされた路面用防護シートを、前記構造物の上面に貼り付けるステップと、路面用防護シートが貼り付けられた構造物の近傍で、舗装作業を行うステップと、前記舗装作業の完了後に、前記構造物から前記路面用防護シートを剥がすステップとを有する。
【発明の効果】
【００１０】
本発明によれば、路面上の構造物をより簡易に防護できる。
【図面の簡単な説明】
【００１１】
【図１】路面用防護シート１を説明する図である。
【図２】既設アスファルトの除去ステップ、シート切り出しステップ、及びシート貼り付けステップを模式的に説明する図である。
【図３】舗装工事ステップ及びシート剥離ステップを模式的に説明する図である。
【図４】切出しガイド表示１００が印刷された路面用防護シート１を例示する図である。
【発明を実施するための形態】
【００１２】
まず、図１を参照して、路面用防護シート１を説明する。
図１（Ａ）は、路面用防護シート１の上面（本シートを貼り付けた場合の上面）を例示し、図１（Ｂ)は、路面用防護シート１の断面を模式的に説明する図である。
図１（Ａ）に例示するように、路面用防護シート１は、可撓性を有するシート状の部材（シート部）で構成されている。なお、本実施形態では、路面上の構造物（例えば、マンホール蓋）の上面形状と一致しない形状の路面用防護シート１を用意し、この路面用防護シート１をマンホール蓋などの構造物（防護される構造物）の形状に応じてカットし、カットされた路面用防護シート１を構造物に貼り付けて防護する形態を説明するが、これに限定されるものではなく、例えば、マンホール蓋の形状に合わせてカットされた路面用防護シート１を予め用意してもよい。
【００１３】
図１（Ｂ）は、図１（Ａ）に示された路面用防護シート１の断面αを模式的に表す図である。
図１（Ｂ）に例示するように、路面用防護シート１は、シート部１２と、粘着層１４と、剥離シート１６とを有する。
シート部１２は、マンホール蓋の凹凸に追従できる程度の可撓性を有し、１８０℃で１０分間加熱しても発火又は溶融しない程度の耐火性及び耐熱性を有する。すなわち、シート部１２は、アスファルト舗装工事で発生する熱に対して十分な耐火性及び耐熱性を有する。また、シート部１２は、舗装工事に用いる骨材及び機材により破損しない程度の強度を有する。本例のシート部１２は、アスファルト舗装に用いる骨材が表面に載り、かつ、フィニッシャーが上面を通過した場合であっても、穴が開かない程度の強度を有する。さらには、シート部１２は、路面用防護シート１をマンホール蓋から剥離するときに、破断しない程度の強度を有すると共に、はさみで切断できる程度の強度であることが望ましい。シート部１２は、例えば、紙の表面にボロンフィルムを貼り付けて構成される。紙は、１平方メートル当たり１６０〜１８０ｇのコースター原紙、又は、１平方メートル当たり３８〜４２ｇのマスキング用艶原紙である。ボロンフィルムは、１２μｍ程度の厚さものを用いる。
粘着層１４は、シート部１２の下面に形成される。粘着層１４は、例えば、アクリル系粘着剤を１平方メートル当たり２８〜３２ｇ塗付することにより形成される。
剥離シート１６は、粘着層１４を保護すると共に、路面用防護シート１の使用時には粘着層１４から剥離されるシートである。剥離シート１６は、例えば、クルパック紙である。
これらのシート部１２、粘着層１４及び剥離シート１６が積層して路面用防護シート１が構成される。路面用防護シート１が、マンホール蓋の凹凸に追従できる程度の可撓性、１８０℃で１０分間加熱しても発火又は溶融しない程度の耐火性及び耐熱性、マンホール蓋から剥離するときに破断しない程度の強度、並びに、はさみで切断できる程度の切断性を有するように、シート部１２、粘着層１４及び剥離シート１６の材質及び厚さが設計されている。
【００１４】
次に、図２及び図３を参照して、路面用防護シート１を用いた舗装方法を説明する。なお、本例では、既設のアスファルトを除去し、再舗装を行う場合を具体例として説明するが、これに限定されるものではない。
図２（Ａ）に例示するように、第１の工程（既設アスファルトの除去ステップ）では、既設のアスファルトを路面から剥がす。マンホール蓋２０Ａの周辺に、既設のアスファルトが残っていてもよい。
図２（Ｂ）に例示するように、第２の工程（シート切り出しステップ）では、舗装対象となる領域で露出した構造物（マンホール蓋）の形状に合わせて、路面用防護シート１をカットして、構造物の上面（マンホール蓋２０）と同じ形状及び大きさの路面用防護シート１を切り出す。
図２（Ｃ）に例示するように、第３の工程（シート貼り付けステップ）では、切り出された路面用防護シート１から剥離シート１６を剥離し、露出した粘着層１４を構造物（マンホール蓋）に貼り付ける。
図３（Ｄ）に例示するように、第４の工程（舗装工事ステップ）では、路面用防護シート１が貼り付けられた構造物（マンホール蓋２０）を含む路面で、アスファルトの舗装工事を実施する。このとき、路面用防護シート１で防護された構造物（マンホール蓋２０）の上を、アスファルトフィニッシャーが通過する。
図３（Ｅ）に例示するように、第５の工程（シート剥離ステップ）では、舗装工事完了後に、構造物（マンホール蓋２０）から路面用防護シート１を剥離する。
以上の工程により、路面に露出した構造物（マンホール蓋２０）を簡易に養生した状態で、アスファルト舗装工事を実施できる。
【００１５】
以上説明したように、本実施形態の路面用防護シート１は、耐熱性及び耐火性を有するシート部１２と、マンホール蓋などに粘着及び再剥離できる粘着層１４と、剥離シート１６とからなるため、アスファルト舗装工事において、マンホール蓋へのアスファルトの付着を簡易に防止できる。
【００１６】
［変形例］
次に、上記実施形態の変形例を説明する。
図４は、切出しガイド表示１００が設けられた路面用防護シート１を例示する図である。
図４に例示するように、路面用防護シート１の上面１０に、カット位置を示す切出しガイド表示１００が印刷されてもよい。切出しガイド表示１００Ａ〜Ｃは、例えば、複数のマンホール蓋のサイズそれぞれに適合した形状及び大きさのカット位置を示す。また、切出しガイド表示１００Ａ〜Ｃには、複数のマンホール蓋のサイズ又は型番を示すサイズ表示（図中の「１１００」など）が含まれてもよい。施工者は、マンホール蓋の直径を採寸し、その直径に応じた切出しガイド表示１００の位置で、路面用防護シート１を切り出す。
これにより、路面用防護シート１の切出しが容易になる。なお、本変形例では、路面用防護シート１の上面１０（すなわち、シート部１２の表面）に、切出しガイド表示１００が印刷されている形態を説明したが、剥離シート１６の表面に、切出しガイド表示１００が印刷されてもよい。
【符号の説明】
【００１７】
１・・・路面用防護シート
１０・・・上面
１２・・・シート部
１４・・・粘着層
１６・・・剥離シート
１００・・・切出しガイド表示
【図１】
2012031668.tif 000003
【図２】
2012031668.tif 000004
【図３】
2012031668.tif 000005
【図４】
2012031668.tif 000006